(57)【要約】【課題】  ワークに例えば油脂等の汚れを付着させずに洗浄を行って品質低下を阻止することができ、しかも、洗浄液を循環利用可能なためコスト安で洗浄を行うことができる画期的な洗浄装置を提供すること。【解決手段】  洗浄槽２内でワーク１を洗浄する洗浄装置であって、前記洗浄槽２に洗浄液を加熱して蒸気化する加熱部３を設け、蒸気化する前の洗浄液と非接触状態でワーク１を前記洗浄槽２に収納し得るように構成し、前記加熱部３により加熱することで蒸気化した洗浄液が前記ワーク１に接触して洗浄し得るように構成した洗浄装置。【選択図】      図１
2005270818.tif 000002
【特許請求の範囲】
【請求項１】
洗浄槽内でワークを洗浄する洗浄装置であって、前記洗浄槽に洗浄液を加熱して蒸気化する加熱部を設け、蒸気化する前の洗浄液と非接触状態でワークを前記洗浄槽に収納し得るように構成し、前記加熱部により加熱することで蒸気化した洗浄液が前記ワークに接触して洗浄し得るように構成したことを特徴とする洗浄装置。
【請求項２】
前記加熱部を面状に構成し、この加熱部に洗浄液を接触させて蒸気化するように構成したことを特徴とする請求項１記載の洗浄装置。
【請求項３】
前記加熱部による前記洗浄液の加熱度合いを、前記洗浄液を油脂分等の汚れ成分の共沸を伴わずに蒸気化する加熱度合いに設定したことを特徴とする請求項１，２のいずれか１項に記載の洗浄装置。
【請求項４】
洗浄液を前記ワークに向けて噴射せず前記加熱部に向けて噴射する噴射部を前記洗浄槽に設けたことを特徴とする請求項１〜３のいずれか１項に記載の洗浄装置。
【請求項５】
前記噴射部から前記加熱部に向けて洗浄液を噴射した際、前記噴射した洗浄液が飛散して前記ワークに付着することを防止する飛散防止部を前記洗浄槽に設けたことを特徴とする請求項４記載の洗浄装置。
【請求項６】
前記洗浄槽の少なくとも周壁部を前記加熱部とし、前記周壁部の内側には前記周壁部に向けて洗浄液を噴射する噴射部を設け、この噴射部の内側には前記周壁部に向けて噴射される前記洗浄液が飛散することを防止する遮蔽板材を設け、この遮蔽板材の内側に前記ワークを収納し、前記噴射部から噴射した洗浄液が前記加熱部となる前記周壁部により加熱されて蒸気化した洗浄液が通過する通過部を前記遮蔽板材と前記周壁部との間に設けたことを特徴とする請求項１〜５のいずれか１項に記載の洗浄装置。
【請求項７】
前記洗浄槽内にワークを載置する載置部を設け、この載置部を振動可能に構成したことを特徴とする請求項１〜６のいずれか１項に記載の洗浄装置。
【請求項８】
前記加熱部を鏡面研磨処理したことを特徴とする請求項１〜７のいずれか１項に記載の洗浄装置。
【発明の詳細な説明】
【技術分野】
【０００１】
本発明は、ワークを洗浄する洗浄装置に関するものである。
【背景技術】
【０００２】
従来から、洗浄槽内にワークを収納し、このワークを有機溶剤等の洗浄液によって洗浄することで、ワークに付着した油脂類等の汚れを除去する洗浄装置が提案されている（例えば下記特許文献１。）。
【０００３】
この特許文献１の洗浄装置は、洗浄槽内に設けたノズルから、ワークに向けて洗浄液を噴射することで前記ワークをシャワー洗浄でき、また、煮詰方式の蒸気発生装置を備えてこの蒸気発生装置により洗浄液を蒸気化し、この蒸気化した洗浄液を前記ノズルからワークに向けて噴霧することによって、前記ワークを洗浄できるように構成しており、このシャワー洗浄若しくは蒸気洗浄を選択的に若しくは併用することでワークを洗浄するものである。また、特許文献１の洗浄装置は、シャワー洗浄若しくは蒸気洗浄のいずれの洗浄を行う場合においても、ランニングコストをできるだけ低く抑えるために、洗浄液を循環利用できる構成となっている。
【０００４】
【特許文献１】特許第２７８４１５９号
【発明の開示】
【発明が解決しようとする課題】
【０００５】
しかしながら、洗浄液を循環利用する場合には、経時と共に洗浄液の汚れが増し、例えばシャワー洗浄の際には、この汚れた洗浄液をワークに向けてそのまま噴射することとなるため、ワークに汚れが付着して洗浄シミが発生してしまい易く、また、蒸気洗浄の際には、洗浄段階で洗浄除去された油脂分が煮詰蒸溜時に共沸し、その油脂分がワークに残留してシミが発生してしまうという問題点がある。
【０００６】
この問題点は、洗浄液を循環利用せず、ワークを洗浄する度にきれいな新しい洗浄液を利用することで、洗浄シミの発生を防止することも考えられるが、ワーク洗浄の度に新しい洗浄液を使用するのは交換の手間もかかる上にコスト高となり、特に洗浄液を多量に使用する大型ワークの場合や構造が複雑なワークの洗浄にあたっては、その影響が極めて大きく、そのため、実質、実現することは不可能といえる。
【０００７】
従って、従来の洗浄装置によるワークの洗浄は、品質の低下を引き起こさず且つコスト安にワーク洗浄を行うことは極めて困難であるといえる。
【０００８】
本発明は上記問題点に鑑み、鋭意検討，研究を重ねた末、なされたもので、ワークに例えば油脂等の汚れを付着させずに洗浄を行って品質低下を阻止することができ、しかも、洗浄液を循環利用可能なためコスト安で洗浄を行うことができる画期的な洗浄装置を提供することを目的としている。
【課題を解決するための手段】
【０００９】
添付図面を参照して本発明の要旨を説明する。
【００１０】
洗浄槽２内でワーク１を洗浄する洗浄装置であって、前記洗浄槽２に洗浄液を加熱して蒸気化する加熱部３を設け、蒸気化する前の洗浄液と非接触状態でワーク１を前記洗浄槽２に収納し得るように構成し、前記加熱部３により加熱することで蒸気化した洗浄液が前記ワーク１に接触して洗浄し得るように構成したことを特徴とする洗浄装置に係るものである。
【００１１】
また、前記加熱部３を面状に構成し、この加熱部３に洗浄液を接触させて蒸気化するように構成したことを特徴とする請求項１記載の洗浄装置に係るものである。
【００１２】
また、前記加熱部３による前記洗浄液の加熱度合いを、前記洗浄液を油脂分等の汚れ成分の共沸を伴わずに蒸気化する加熱度合いに設定したことを特徴とする請求項１，２のいずれか１項に記載の洗浄装置に係るものである。
【００１３】
また、洗浄液を前記ワーク１に向けて噴射せず前記加熱部３に向けて噴射する噴射部４を前記洗浄槽２に設けたことを特徴とする請求項１〜３のいずれか１項に記載の洗浄装置に係るものである。
【００１４】
また、前記噴射部４から前記加熱部３に向けて洗浄液を噴射した際、前記噴射した洗浄液が飛散して前記ワーク１に付着することを防止する飛散防止部５を前記洗浄槽２に設けたことを特徴とする請求項４記載の洗浄装置に係るものである。
【００１５】
また、前記洗浄槽２の少なくとも周壁部６を前記加熱部３とし、前記周壁部６の内側には前記周壁部６に向けて洗浄液を噴射する噴射部４を設け、この噴射部４の内側には前記周壁部６に向けて噴射される前記洗浄液が飛散することを防止する遮蔽板材５を設け、この遮蔽板材５の内側に前記ワーク１を収納し、前記噴射部４から噴射した洗浄液が前記加熱部３となる前記周壁部６により加熱されて蒸気化した洗浄液が通過する通過部18を前記遮蔽板材５と前記周壁部６との間に設けたことを特徴とする請求項１〜５のいずれか１項に記載の洗浄装置に係るものである。
【００１６】
また、前記洗浄槽２内にワーク１を載置する載置部７を設け、この載置部７を振動可能に構成したことを特徴とする請求項１〜６のいずれか１項に記載の洗浄装置に係るものである。
【００１７】
また、前記加熱部３を鏡面研磨処理したことを特徴とする請求項１〜７のいずれか１項に記載の洗浄装置に係るものである。
【発明の効果】
【００１８】
本発明は上述のように構成したから、ワークに例えば油脂等の汚れが付着することを抑制しつつ洗浄を行うことができ、これにより、品質低下を阻止でき、しかも、洗浄液を循環利用できるため、コストをかけずにワークの洗浄を行うことができる画期的な洗浄装置となる。
【００１９】
即ち、本発明は、洗浄槽に収納したワークに向けて洗浄液若しくは蒸気化した洗浄液を噴射して積極的に接触させるのではなく、加熱部によって加熱して蒸気化した洗浄液をワークの周囲に漂わせることで接触させ、これによりワークを洗浄するため、例えば循環利用により洗浄液中に油脂分等の汚れ成分が含まれていたとしても、この油脂分とワークとの接触の機会を実質的に減少させて、これにより、ワークが汚れることを抑制することができる実用性に秀れる洗浄装置となる。
【００２０】
また、請求項２記載の発明においては、洗浄液と加熱部との接触面積を広く確保することができ、これにより、洗浄液を効率良く蒸気化できることとなり、よって、一層効率的にワークを洗浄することができる実用性に秀れる洗浄装置となる。
【００２１】
また、請求項３記載の発明においては、蒸気化した洗浄液に油脂分等の汚れ成分が含まれない状態とすることができ、これにより、例えば洗浄液を循環利用する場合であっても、前記汚れ成分の共沸を防止してきれいな洗浄液でワークを洗浄することで、確実に洗浄シミが起こらない洗浄を実現することができる画期的な洗浄装置となる。
【００２２】
また、請求項４記載の発明においては、洗浄液をワークに向けて噴射せず加熱部に向けて噴射する噴射部を前記洗浄槽に設けることで、ワークに対するシミの発生を一層良好に抑制することができる画期的な洗浄装置となる。
【００２３】
また、請求項５記載の発明においては、飛散防止部によって、汚れ成分を含んだ洗浄液がワークに付着することを極めて良好に抑制することが可能となり、これにより、一層確実に洗浄シミの発生を阻止してワークを洗浄することができる画期的な洗浄装置となる。
【００２４】
また、請求項６記載の発明においては、加熱部から飛散する洗浄液がワークに接触しない構成を簡易に設計実現可能となる。
【００２５】
また、噴射部から噴射された洗浄液を洗浄槽の周壁部に沿って流下させることが可能となり、例えばこの流下した洗浄液を回収する機構を洗浄槽の下方に備えることで、洗浄液の循環利用を簡易且つスムーズに行うことが可能となる画期的な洗浄装置となる。
【００２６】
また、請求項７記載の発明においては、例えばワークを重なり合った状態で載置部に載置してこのワークを振動させながら洗浄を行うことで、ワークの重なり合った部分に蒸気化した洗浄液を振動によって入り込ませることが可能となり、これによって、ワークが重なり合った状態であってもワークを良好に洗浄することができる画期的な洗浄装置となる。
【００２７】
また、請求項８記載の発明においては、洗浄液と加熱部との熱交換を一層効率良く行うことができ、これにより、洗浄液を一層効率的に蒸気化して容易にワークを洗浄することができる画期的な洗浄装置となる。
【発明を実施するための最良の形態】
【００２８】
好適と考える本発明の実施形態（発明をどのように実施するか）を、図面に基づいて本発明の作用を示して簡単に説明する。
【００２９】
本発明は、蒸気化する前の洗浄液と非接触状態でワーク１を洗浄槽２内に収納することができる。
【００３０】
そして、加熱部３により洗浄液を蒸気化し、この蒸気化した洗浄液がワーク１に接触することで洗浄槽２内のワーク１を洗浄する。
【００３１】
即ち、本発明は、加熱部３によって蒸気化した洗浄液をワーク１に向けて噴霧するのではなく、ワーク１の周囲を漂う洗浄液がワーク１に接触することで洗浄するもので、従来のように洗浄液をワーク１に向けて積極的に噴射して洗浄する場合に比して油脂等の汚れ成分とワーク１とが接触する機会を実質的に減らすことができ、これにより、ワーク１が前記汚れ成分によって汚れる機会を減らすことができることとなる。
【００３２】
また、この際、例えば加熱部３による洗浄液の加熱度合いを、油脂分等の汚れ成分が共沸しない加熱度合いに設定することで、蒸気化した洗浄液を汚れ成分が含まれない状態にすることが可能になり、この洗浄液を用いてワーク１を洗浄することで洗浄シミの発生を確実に阻止できることとなる。
【００３３】
また、本発明は、前記汚れ成分とワーク１とが接触する機会を減らすことができることから、その分、洗浄液の交換も少なくて済み、よって、コスト安に前記ワーク１の洗浄を行えることとなる。
【００３４】
従って、本発明は、例えば蒸気化しない洗浄液若しくは蒸気化した洗浄液をワーク１に向けて積極的に噴射するのではなく、蒸気化した洗浄液がワーク１の周囲を漂い接触することでワーク１を洗浄することにより、簡易な構成にして従来に比してワーク１への洗浄シミの発生を極めて良好に抑制することができ、しかも、前記洗浄をコスト安で実現できるこれまでにない画期的な洗浄装置となる。
【００３５】
また、例えば、前記加熱部３を面状に構成してこの面状の加熱部３に洗浄液を接触させることで前記洗浄液を蒸気化するように構成すれば、洗浄液と加熱部３との接触面積を広く確保することができ、これにより、洗浄液を効率良く蒸気化できることとなり、よって、効率的にワーク１を洗浄できることとなるなど、一層実用的となる。
【００３６】
また、例えば、洗浄液を前記ワーク１に向けて噴射せず前記加熱部３に向けて噴射する噴射部４を前記洗浄槽２に設ければ、噴射部４から加熱部３に向けて洗浄液を噴射するため、前記洗浄液を加熱部３に効率良く接触させて蒸気化させることができ、また、洗浄液がワーク１に付着しないように噴射するため、ワーク１に洗浄液が直接接触することによるシミの発生を一層良好に抑制できることとなるなど、一層実用的となる。
【００３７】
また、例えば、前記噴射部４から前記加熱部３に向けて洗浄液を噴射した際、前記噴射した洗浄液が飛散して前記ワーク１に付着することを防止する飛散防止部５を前記洗浄槽２に設ければ、飛散防止部５によって、汚れ成分を含んだ洗浄液がワーク１に付着することを極めて良好に抑制することが可能となり、これにより、一層確実に洗浄シミの発生を阻止してワーク１を洗浄できることとなるなど、一層実用的となる。
【００３８】
また、例えば、前記洗浄槽２の少なくとも周壁部６を前記加熱部３とし、前記周壁部６の内方には前記周壁部６に向けて洗浄液を噴射する噴射部４を設け、この噴射部４の内方には前記周壁部６に向けて噴射される前記洗浄液が飛散することを防止する遮蔽板材５を設け、この遮蔽板材５の内方に前記ワーク１を収納し、前記噴射部４から噴射した洗浄液が前記加熱部３となる前記周壁部６により加熱されて蒸気化した洗浄液が通過する通過部18を前記遮蔽板材５と前記周壁部６との間に設ければ、加熱部３から飛散する洗浄液がワーク１に接触しない構成を簡易に設計実現できることとなる。
【００３９】
また、噴射部４から噴射された洗浄液を洗浄槽２の周壁部６に沿って流下させることが可能となり、例えばこの流下した洗浄液を回収する機構を洗浄槽の下方に備えることで、洗浄液の循環利用を簡易且つスムーズに行うことが可能となるなど、一層実用的となる。
【００４０】
また、例えば、前記洗浄槽２内にワーク１を載置する載置部７を設け、この載置部７を振動可能に構成すれば、例えばワーク１を重なり合った状態で載置部７に載置してこのワーク１を振動させながら洗浄を行うことで、蒸気化した洗浄液をワーク１の重なり合った部分に振動によって入り込ませることが可能となり、これによって、ワーク１が重なり合った状態であってもワーク１を良好に洗浄できることとなる等、一層実用的となる。
【００４１】
また、例えば、前記加熱部３を鏡面研磨処理した構成とすれば、洗浄液と加熱部との熱交換を一層効率良く行うことができ、これにより、洗浄液を一層効率的に蒸気化して容易にワークを洗浄できることとなるなど、一層実用的となる。
【実施例】
【００４２】
本発明の具体的な実施例について図面に基づいて説明する。
【００４３】
本実施例は、洗浄槽２内でワーク１を洗浄する洗浄装置に関するもので、前記洗浄槽２に洗浄液を加熱して蒸気化する加熱部３を設け、蒸気化する前の洗浄液と非接触状態でワーク１を前記洗浄槽２に収納し得るように構成し、前記加熱部３により加熱することで蒸気化した洗浄液が前記ワーク１に接触して洗浄し得るように構成したものである。
【００４４】
即ち、本実施例は、前記洗浄槽２の少なくとも周壁部６を前記加熱部３とし、この周壁部６に向けて洗浄液を噴射する噴射部４を設けて、この噴射部４から周壁部６に向けて洗浄液を噴射した際、前記周壁部６に対して前記洗浄液が飛散することを防止する前記飛散防止部５となる遮蔽板材５を設けて、この遮蔽板材５よりも内方位置に前記ワーク１を収納した構成としている。
【００４５】
本実施例の洗浄槽２は、図１に示すように、上部にワーク１を搬出入する際に開閉作動する自動開閉蓋８を設けている。
【００４６】
また、洗浄槽２に真空ポンプ等の減圧機構を連結して洗浄槽２内を減圧可能に構成している。尚、図１中の符号Ｐは真空ポンプ等の減圧機構への連結を示している。
【００４７】
即ち、洗浄時には、ワーク１を収納した内容器２Ａ内を減圧状態若しくは真空状態とする構成としている。
【００４８】
これにより、噴射部４から加熱部３に向けて噴射される洗浄液を、低い温度で効率良く蒸気化できることとなる。
【００４９】
本実施例の洗浄槽２は、図１に示すように、内容器２Ａと外容器２Ｂとでから成る二重構造とし、この内容器２Ａと外容器２Ｂとは上部で連結された構成としている。
【００５０】
また、内容器２Ａの底部中央には、洗浄液を洗浄槽外へ排出するドレイン９を設け、このドレイン９は外容器２Ｂを介して図示省略のドレインタンクに連結した構成としている。尚、図１中の符号Ｄはドレインタンクへの連結を示している。
【００５１】
本実施例は、内容器２Ａと外容器２Ｂとの間に熱溶媒を循環させることで内容器２Ａ及び外容器２Ｂを加熱して前記加熱部３を構成している。即ち、本実施例は、内容器２Ａの周壁部６と底面部17とを加熱部３としている。
【００５２】
具体的には、外容器２Ｂの上部及び下部には、内容器２Ａと外容器２Ｂとの間に熱溶媒を導出入する導出入口10を設けている。
【００５３】
更に具体的には、図１に示すように、本実施例には所定の溶媒液を加熱する熱媒槽11を備え、この熱媒槽11で加熱された溶媒液を外容器２Ｂの下部に設けた導出入口10からこの外容器２Ｂと内容器２Ａとの間に導入して、内容器２Ａ及び外容器２Ｂを加熱し、外容器２Ｂ上部の導出入口10から熱溶媒を導出して熱媒槽11に送ることで熱溶媒を循環させ、これにより、内容器２Ａの周壁部６及び底面部17を加熱し得るように構成している。
【００５４】
この内容器２Ａと外容器２Ｂ間に導入される熱溶媒の温度は、およそ１３０℃を保持し得るように制御される構成としている。
【００５５】
また、内容器２Ａの内面部は、この内面部に向けて噴射される洗浄液を効率良く蒸気化できるよう鏡面研磨処理された構成としている。
【００５６】
噴射部４となるノズル４を、内容器２Ａ内の上部に複数設けている。
【００５７】
このノズル４は、噴射する蒸気化しない洗浄液がワーク１に直接接触せず、且つ、熱溶媒によって加熱された内容器２Ａの周壁部６に直接接触し得るように設けている。
【００５８】
具体的には、ノズル４を、内容器２Ａの上部において、噴出口（図示省略）が斜め下外方に向くように設けている。
【００５９】
また、ノズル４の噴射口は、洗浄液を偏平状で噴射し得る形状に形成している。
【００６０】
具体的には、前記噴射口をスリット状若しくは細線状に形成した構成としている。
【００６１】
ノズル４の噴射口をスリット状若しくは細線状としたのは、洗浄液をノズル４の噴射口から蒸気化しない状態で噴射可能とし、且つ、加熱部３と効率良く接触させて蒸気化した洗浄液を簡易に得られるようにするためである。
【００６２】
また、本実施例では、ノズル４からの洗浄液の噴射を、排出ポンプ等によって行うのではなく、洗浄槽２内を減圧状態とすることによる吸引圧、所謂真空吸引圧を利用して噴射する構成としている。
【００６３】
また、ノズル４から噴射される洗浄液の噴射量は、ワークの重量に応じて適宜変更設定される構成としている。
【００６４】
本実施例は、前述のように、ワーク１を収納した内容器２Ａ内を、真空ポンプ等の減圧機構によって減圧状態若しくは真空状態とし、且つ、蒸気化する前の洗浄液をノズル４から加熱部３に向けて噴射することで、洗浄液を効率良く蒸気化できるよう構成している。
【００６５】
この減圧機構による内容器２Ａ内の減圧度合い、及び、加熱部３による洗浄液の加熱度合いは、循環利用する洗浄液に含まれる油脂分が少なくとも洗浄時に共沸しない度合いに設定されている。
【００６６】
具体的には、内容器２Ａ内の減圧度合いは、少なくとも洗浄時に内容器２Ａ（洗浄槽）内が８０Ｔｏｒｒ（およそ１１ｋＰａ）となる減圧度合いに設定している。
【００６７】
また、加熱部３（内容器２Ａの周壁部６若しくは底面部17）による洗浄液の加熱度合いは、少なくとも洗浄時に内容器２Ａ（洗浄槽）内の温度が１００℃〜１０５℃となる加熱度合いに設定している。
【００６８】
本実施例は、前述のように、ノズル４から噴射される洗浄液が、内容器２Ａの周壁部６及び底面部17に沿って流下して内容器２Ａ底部中央のドレイン９から洗浄槽２外へ排出されるように構成している。
【００６９】
この際のノズル４からの洗浄液の噴射量は、ドレイン９に向けて流下する際、流れに乱れが起こらない、所謂整流状態で流下し得る量に設定している。即ち、ドレイン９に向けての流下途中で、液枯れが発生しない噴出量に設定している。
【００７０】
これは、加熱部３に対してノズル４からの洗浄液を一定して接触させ、蒸気化した洗浄液を安定して得るためである。
【００７１】
遮蔽板材５を、ノズル４から噴射した洗浄液が内容器２Ａの周壁部に対して飛散することを阻止し、これにより、蒸気化する前の洗浄液がワーク１に付着することを防止し得る位置に設けた構成としている。
【００７２】
即ち、遮蔽板材５を、内容器２Ａの周壁部６に対してノズル４を介した対向位置に設けた構成としている。
【００７３】
具体的には、遮蔽板材５を、ノズル４から偏平状に噴射される洗浄液の流下部位を覆い得る大きさに形成している。
【００７４】
更に具体的には、遮蔽板材５として、蒸気化した洗浄液は通過可能であるが、蒸気化しない洗浄液は通過しにくく工夫された、小径の穴を複数穿設加工したパンチング板及びこのパンチング板に付設されるメッシュの細かい網を採用している。
【００７５】
この遮蔽板材５は、内容器２Ａの全周壁面に沿うように平面視円形状に形成した構成としても良いし、ノズル４を設けた部位及びこのノズル４から噴射され流下する洗浄液を覆い得る部位に、部分的に設ける構成としても良い。
【００７６】
本実施例では、ノズル４及びこのノズル４から噴射され流下する洗浄液を覆い得る部位に遮蔽板材５を設けた構成としている。尚、遮蔽板材５は、ノズル４から噴射される洗浄液の流下を妨げないように、下端が内容器２Ａの底面部17よりも所定高さ離反した位置に配置される長さに設定している。
【００７７】
また、遮蔽板材５よりも内方位置にして内容器２Ａの中央部には、ワーク１を載置する載置部７を設けた構成としている。
【００７８】
この載置部７は、振動可能に構成している。
【００７９】
これにより、例えばワーク１を重ねた状態で載置部７に載置し、この重ねた状態のワーク１を載置部７を振動させながら洗浄を行うことで、蒸気化した洗浄液をワーク１の重なり合った部位に浸透させることができ、これにより、この重なり合った部位を良好に洗浄することができ、よって、ワーク１を重ねた状態でも良好に洗浄できることとなる。
【００８０】
本実施例では、循環利用する洗浄液を蒸溜して汚れ成分が少ない洗浄液を得る真空蒸溜装置12（煮詰式）を設けている。即ち、洗浄槽２においてワーク１の洗浄に使用した汚れ成分を含む洗浄液を、ドレインタンク等を介して真空蒸溜装置12に導入し、この真空蒸溜装置12内において蒸溜することで、汚れ成分の含有量が少ない洗浄液を得る構成としている。
【００８１】
また、この真空蒸溜装置12には脱水脱酸装置13を連結し、この脱水脱酸装置13に前記真空蒸溜装置12で蒸溜により得られた洗浄液を導入してこの洗浄液から水分，酸成分，硫黄分等を除去し得るように構成している。即ち、この脱水脱酸装置13により、洗浄液から水分，酸成分，硫黄分等を除去して、汚れ成分が更に除去された洗浄液を得られる構成としている。
【００８２】
また、脱水脱酸装置13には熱交換器14を連結し、前記脱水脱酸装置13で得られた洗浄液を加温して、洗浄槽２のノズル４から加温状態の洗浄液を噴射し得る構成としている。即ち、熱交換器14により洗浄液を加温してノズル４から噴射することで、加熱部３である内容器２Ａの周壁部６及び底面部17に洗浄液が接触した際に、一層効率良く蒸気化できる構成としている。
【００８３】
この際、熱交換器14による洗浄液の加温度合いは、ノズル４から洗浄液が蒸気化して噴射されない加温度合いであり、且つ、洗浄液が加熱部３に接触した際にこの洗浄液に含まれる油脂分等の汚れ成分が共沸しない加温度合いに設定している。
【００８４】
具体的には、この加温度合いは、洗浄液を熱交換器によって８５℃〜９０℃とし得る加温度合いに設定されている。
【００８５】
また、この熱交換器14は、内容器２Ａ及び外容器２Ｂを加熱する熱触媒の一部を熱交換器14に導入し、この熱触媒の熱を利用して前記洗浄液を加温する構成としている。
【００８６】
尚、図中符号15は回収した油分を貯めるＯ．Ｆ貯槽，符号16は熱溶媒を循環させるための循環ポンプである。
【００８７】
また、本実施例の各構成部位は、電磁弁等により自動制御可能に連結されシステム化されている。
【００８８】
尚、洗浄槽２の適宜な部位には、洗浄槽２内の状況を視認できる点検窓（図示省略）を設けている。
【００８９】
次に、本実施例の作用について説明する。
【００９０】
予め所定温度に加温された洗浄槽２の自動開閉蓋８を開き、前工程により洗浄されたワーク１を図示省略の自動搬送機構にて洗浄槽２内に搬送収納し、前記自動開閉蓋８を閉じる。
【００９１】
次いで、真空ポンプ等の減圧機構により、洗浄槽２内を初期設定された減圧（真空）状態まで減圧する。
【００９２】
一方、真空蒸溜装置12で洗浄液（循環利させた洗浄液）を蒸溜して汚れ成分の少ない洗浄液を得る。
【００９３】
次いで、前記蒸溜によって得られた洗浄液を脱水脱酸装置13に導入して、酸成分，硫黄成分，水分等を除去する。
【００９４】
次いで、酸成分等を除去した洗浄液を、熱交換器14に導入して加温する。
【００９５】
この際の加温度合いは、前述のように、ノズル４から洗浄液が蒸気化した状態で噴射されない加温度合いに設定されている。
【００９６】
次いで、所定の減圧状態に設定されたワーク１を収納した洗浄槽２内において、前記加温された洗浄液を、ノズル４から内容器２Ａの加熱された周壁部６（加熱部３）に向けて噴射する。
【００９７】
この加熱された周壁部６（加熱部３）に向けて噴射された洗浄液は、周壁部６の熱によってその一部が蒸気化する。この蒸気化される洗浄液の量は、少なくともノズル４から噴射される洗浄液量の半分以下となるよう設定している。
【００９８】
また、この際、ノズル４から周壁部６に向けて噴射された蒸気化する前の洗浄液は、周壁部６に対して飛散しようとしても、遮蔽板材５によって前記飛散が阻止されるため、この遮蔽板材５よりも内方に載置したワーク１に、前記蒸気化する前の洗浄液がかかることを確実に防止できることとなる。
【００９９】
この蒸気化した洗浄液は、遮蔽板材５を介して内容器２Ａ中央に載置したワーク１に接触した際、ワーク１が蒸気化した洗浄液よりも温度が低いことから凝縮して液化する。
【０１００】
そして、このワーク１の表面で液化した洗浄液がワーク１表面に付着する油脂等の汚れを落とすこととなる。つまり、ワーク１表面と蒸気の界面で起こる液化現象により即ちワーク１の汚れを落とす洗浄作用が発揮される。
【０１０１】
尚、ワーク１の温度は蒸気化した洗浄液との接触により上昇嗣、ワーク１の温度が蒸気化した洗浄液の温度と同じ温度となるまで凝縮が起こることとなる。
【０１０２】
尚、ノズル４から洗浄液が噴射されると、この洗浄液の噴射により、減圧された洗浄槽２内が加圧されて大気圧方向に傾こうとするが、これに応じて真空ポンプ等の減圧機構が作動して、洗浄槽２内が略一定の減圧状態に維持される構成となっている。
【０１０３】
ノズル４から噴射した洗浄液のうち、蒸気化しない洗浄液は、内容器２Ａの周壁部６及び底面部17に沿って流下し、内容器２Ａ底部中央のドレイン９から洗浄槽２外（ドレインタンク）に排出される。
【０１０４】
また、ノズル４から噴射した洗浄液のうち、蒸気化してワーク１を洗浄した洗浄液もまた、遮蔽板材５や内容器２Ａの底面部17等に沿って流下して前記ドレイン９からドレインタンクに向けて洗浄槽２外に排出される。
【０１０５】
次いで、ドレインタンクに導入された洗浄液は、チラー冷却による凝縮作用を利用して液を回収する回収トラップやフィルタートラップを導通することで、例えば真空ポンプに異物が混入することを防ぎ、更に、冷却能力の高いガス冷による凝縮にて高効率の液回収を行いＯ．Ｆ貯槽を経由し、再び真空蒸溜装置12に導入する。
【０１０６】
尚、ドレインタンク，回収トラップ及びフィルタートラップにて回収された油分等の汚れ成分を含む回収液は、Ｏ．Ｆ貯槽に貯められる。
【０１０７】
以上、本実施例は、洗浄液を各種装置に導通させて循環させ、この循環させた洗浄液を使用してワーク１を洗浄する構成としている。
【０１０８】
また、前記ワーク１の洗浄，洗浄液の浄化，洗浄液の加温及び洗浄槽の加熱部３の加熱は、前述のように、自動制御により行われる。
【０１０９】
尚、本実施例における具体的な温度数値及び圧力数値は、洗浄液として炭化水素系第２石油類を使用した場合の数値である。よって、使用する洗浄液の液素性及び油脂素性により前記温度数値及び圧力数値は変化するため、使用する洗浄液に応じて前記数値を随時設定変更する。
【０１１０】
本実施例は上述のように構成したから、洗浄液をワーク１に直接噴射するのではなく、ノズル４から噴射される洗浄液の一部を蒸気化し、この蒸気化した洗浄液によってワーク１を間接的に洗浄するため、循環利用する洗浄液中に含まれる油脂分等の汚れ成分がワーク１に付着することを阻止してシミの発生を極めて良好に阻止することができる。
【０１１１】
即ち、本実施例は、洗浄液がノズル４から蒸気化しない状態で噴射され、整流状態で周壁部６及び底面部17を流下する途中において、熱溶媒により加熱された前記周壁部６及び底面部17（加熱部３）の熱によって洗浄液の一部が蒸気化されるため、洗浄液の煮沸現象が起こらず、これにより、油脂分等の汚れ成分が共沸しない。
【０１１２】
従って、油脂分等の汚れ成分をほとんど含まない清浄化された洗浄液によってワーク１を洗浄することとなるため、洗浄によるシミの発生を極めて良好に抑制することができる。
【０１１３】
その上、本実施例は、洗浄毎に新しい洗浄液を使用せずとも、循環利用する洗浄液によってワーク１を良好に洗浄できるため、コストをかけずにワーク１へのシミの発生を極めて良好に抑制することができる。尚、この煮詰めによって極端に洗浄液が汚れた場合は廃棄処分とする。
【０１１４】
また、本実施例は、ノズル４から洗浄槽２内に噴射される洗浄液の全量を回収して再利用するため、洗浄液の消費が少なく、その分ランニングコストも安く抑えることができる。
【０１１５】
また、本実施例は、載置部８を振動させながらワーク１の洗浄を行うことで、たとえワーク１が重なり合った状態であっても、シミの発生を抑制しつつ洗浄を良好に行うことができる。
【０１１６】
また、本実施例は、各々の装置が自動制御可能に連結されてシステム化されているため、通常の運転状態であれば洗浄液の品質を日常管理する必要がなく、よって、管理費（人件費等）を削減することができる。
【０１１７】
また、本実施例は、図示省略の点検窓から洗浄槽２内の洗浄状態を常時確認することができる。
【０１１８】
尚、本発明は、本実施例に限られるものではなく、各構成要件の具体的構成は適宜設計し得るものである。
【図面の簡単な説明】
【０１１９】
【図１】本実施例の洗浄装置を示す説明図である。
【符号の説明】
【０１２０】
１  ワーク
２  洗浄槽
３  加熱部
４  噴射部
５  飛散防止部，遮蔽板部
６  周壁部
７  載置部
18  通過部
【図１】
2005270818.tif 000003